(57)【要約】【課題】一度に過剰の内容物が振り出されること、及び立ちのぼる湯気が直接的に振出し口近傍に触れたり、該振出し口から容器内に侵入することを防止する振出し容器を提供すること。【解決手段】振出し容器１は、容器２の内部空間２ａ内に収容された内容物１０を、外部に振り出すための振出し口６を、容器２を構成する容器本体４の傾斜面部４ａに設けている。振出し口６は、複数の小孔６ａによって形成される。小孔６ａは傾斜面部４ａに、外部と内部空間２ａとを連通するように、容器２の長手方向軸に対して平行に穿設されている。【選択図】図３
2007022648.tif 000002
【特許請求の範囲】
【請求項１】
容器内に収容された内容物を、外部に振り出すための振出し口を、該容器を構成する傾斜面部に設けたことを特徴とする振出し容器。
【請求項２】
前記振出し口を、傾斜面部の先端側に設けたことを特徴とする請求項１に記載の振出し容器。
【請求項３】
前記容器を構成する傾斜面部に対応する側部に、該容器を把持する指が当接する指当て部を設けたことを特徴とする請求項１、又は請求項２に記載の振出し容器。
【発明の詳細な説明】
【技術分野】
【０００１】  本発明は、容器内に収容された調味料等の内容物を外部に振り出すための振出し口を備えた振出し容器に関する。
【背景技術】
【０００２】  一般的に、粉状、或いは顆粒状等の調味料は、複数の小孔が穿設されたキャップ付き容器内に収容されて提供される。図１１に示すように鍋９０で調理中のスープの例えば塩加減を整える際、ユーザーは容器９１の長手方向軸を鉛直軸に対して略平行に配置した状態にして、容器９１を矢印に示すように鉛直方向に繰り返し振る。すると、容器９１の内部空間９１ａに収容されていた塩９２が複数の小孔９３から鍋９０に向かって振り出されていく。このとき、複数の小孔９３が設けられている先端面９４が水平面に対して略平行である。つまり、先端面９４が鍋９０に対向している。このため、ユーザーは、潜在的に以下の不安を感じながら振出し作業を行っている。【０００３】  一つの不安は、振出しの際、容器内に収容されている調味料が一度に過剰に振り出されてしまうのではないだろうか？というものである。
他の不安は、振出しの際、鍋等から立ちのぼっている湯気が小孔周辺に触れることによって、水分が付着して小孔が目詰まりするのではないだろうか？というものと、湿気（水分）が小孔から容器内に侵入して調味料が固化したり、変質しないだろうか？というものである。【０００４】  これらの不具合に対処するため、例えば、特開２００２−１１４２４９号公報（以下、特許文献１と記載）には、振出し口の詰まりを防止できようにした振出口付き容器が示されている。また、特開２００３−１６５５８５号公報（以下、特許文献２と記載）には粉粒体を対象物上に散布するのに用いる容器にして、粉粒体で成る内容物をその残量に拘わらず少しずつ定量的に吐出させ得る粉粒体収納容器が示されている。【０００５】  特許文献１では、容器本体と、容器本体の上面開口部に装着されるキャップとを備え、このキャップに振出部が形成されると共に、この振出部を覆う開閉蓋が設けられ、振出部に振出口が形成されると共に、開閉蓋の内面に振出口内に嵌入させる突起が形成されている振出口付き容器において、振出口が振出部の裏面から上面に向けて次第に口径を小さくしたテーパ孔で形成され、このテーパ孔の内面に円周を分断する方向に延長した複数条の筋状突起が突設されている。【０００６】  特許文献２には粉粒体を対象物上に散布するのに用いる容器にして、粉粒体で成る内容物をその残量に拘わらず少しずつ定量的に吐出させ得る粉粒体収納容器が示されている。この粒体収納容器では、短繊維状の合成高分子で成る人工毛などの粉粒体を収容するための容器本体と、該容器本体に収容された粉粒体を吐出するための複数の孔部を有して前記容器本体の上端開口部に装着される多孔状の目皿と、前記容器本体の上端開口部を覆う着脱自在なキャップとを具備して成る粉粒体収納容器において、前記目皿が所定の間隔をあけて対向する第一目皿と第二目皿との二重構造にしている。
【特許文献１】特開２００２−１１４２４９号公報
【特許文献２】特開２００３−１６５５８５号公報
【発明の開示】
【発明が解決しようとする課題】
【０００７】  しかしながら、前記特許文献１の振出口付き容器は、突起によって振出口の詰まりを防止するものである。したがって、振出口の詰まりは解消されるものの、容器内に収容されている粉状体が一度に過剰に振り出される不安、及び振出口から容器内に侵入した湿気によって粉状体が固化したり、変質する不安は解消されない。これに対して、前記特許文献２の粉粒体収納容器は、粉粒体で成る内容物をその残量に拘わらず少しずつ定量的に吐出させ得るものである。したがって、内容部は定量的に吐出されるものの、小孔周辺に付着した水分によって小孔が詰まってしまう不具合や、小孔から容器内に侵入した湿気によって粉状体が固化したり、変質する不安は解消されない。
本発明は上記事情に鑑みてなされたものであり、一度に過剰の内容物が振り出されること、及び立ちのぼる湯気が直接的に振出し口近傍に触れたり、該振出し口から容器内に侵入することを防止する振出し容器を提供することを目的にしている。
【課題を解決するための手段】
【０００８】  本発明の振出し容器は、容器内に収容された内容物を、外部に振り出すための振出し口を、該容器を構成する傾斜面部に設けている。
この構成によれば、ユーザーが容器の長手方向軸を鉛直軸に対して略平行にした状態で、該容器を上下に振って内容物の振出しを行ったとき、振出し口が設けられている傾斜面部が鉛直軸に対して斜めに配置される。このため、内容物の振出しを行ったとき、内容物の一部は傾斜面部に衝突する。すると、その内容物は、分力によって傾斜面部に沿って鉛直下方に向けて移動される。この鉛直下方に向けて移動された内容部は、振出し口に向かう内容物の移動を阻止する。
一方、振出し容器の長手方向軸を鉛直軸に対して傾けた状態で、内容物の振出しを行うとき、振出し口が設けられている傾斜面部を水平面より上方に向ける。このことによって、傾斜面部が鍋等から立ちのぼる湯気に直接的に晒されることが防止される。
【発明の効果】
【０００９】  本発明によれば、一度に過剰の内容物が振り出されること、及び立ちのぼる湯気が直接的に振出し口近傍に触れたり、該振出し口から容器内に侵入することを防止する振出し容器を実現できる。
【発明を実施するための最良の形態】
【００１０】  以下、図面を参照して本発明の実施の形態を説明する。◎
図１乃至図４は本発明の一実施形態にかかり、図１は振出し容器を説明する断面図、図２は振出し容器の構成例を説明する分解斜視図、図３は振出し容器の長手方向軸を鉛直軸に対して略平行に配置したときの作用を説明する図、図４は振出し容器の長手方向軸を鉛直軸に対して傾け、かつ傾斜面部を水平面に対して上方に向けたときの作用を説明する図である。【００１１】  本実施形態の振出し容器は、図１に示すようにキャップ付き振出し容器１であって、容器２に対してキャップ３が着脱自在である。容器２の内部空間２ａ内には、内容物１０としては例えば、バジル、ローズマリー等のハーブ、塩や胡椒等の粉末状の調味料や薬味が収容される。【００１２】  図１、及び図２に示すように容器２は、筒形状の容器本体４と、円盤状の蓋体５とで構成されている。蓋体５の外周側部５ａには雄ねじ部５ｂが設けられている。
容器本体４の一端面側は傾斜面部４ａとして構成されている。傾斜面部４ａは、容器２の長手方向軸に対して所定の角度傾斜して構成されている。傾斜面部４ａの略全面には振出し口６が設けられている。振出し口６は例えば複数の小孔６ａで構成されている。これら小孔６ａは外部と内部空間２ａとを連通するように、容器２の長手方向軸に対して平行に傾斜面部４ａに穿設されている。なお、符号４ｂは雄ねじ部であり、容器本体４の先端側外周面に設けられている。この雄ねじ部４ｂにはキャップ３の内周面に設けられている雌ねじ（不図示）が螺合するようになっている。したがって、キャップ３は容器２に対して着脱自在となる。なお、キャップを容器に対して圧入で着脱自在とする構成にしてもよい。【００１３】  一方、容器本体４の他端面側には蓋体５が着脱自在に配設される開口部４ｃが設けられている。この開口部４ｃの内周面には蓋体５の雄ねじ部５ｂが螺合する雌ねじ部（不図示）が設けられている。したがって、蓋体５は容器本体４に対して着脱自在であり、蓋体５を容器本体４から取り外すことによって内容物１０の補充、或いは交換を容易に行える。なお、蓋体を容器本体に対して圧入で着脱自在とする構成にしてもよい。【００１４】  上述のように構成したキャップ付き振出し容器１の作用を説明する。
図３に示すように鍋２０で調理中のスープの例えば塩加減を行う際、まず、ユーザーはキャップ付き振出し容器１を手に取り、キャップ３を容器２から取り外す。
次に、容器２の長手方向軸を鉛直軸に対して略平行にして、容器２を矢印に示すように上下方向に繰り返し振って塩の振出しを行う。このとき、複数の小孔６ａが設けられている傾斜面部４ａが水平面に対して斜めに配置されている。このため、内容物１０の振出しを行ったとき、内容物１０の一部は複数の小孔６ａから外部に振り出される一方、残りの内容物１０の一部は内部空間２ａ側の傾斜面部４ａに衝突する。すると、傾斜面部４ａに衝突した内容物１０は、分力によって傾斜面部４ａに沿って鉛直下方に向けて移動される。つまり、ユーザーが容器２を鉛直方向に対して上下させて振出し動作を行ったとき、内部空間２ａ内においては、鉛直方向に向かって移動しようとする内容物１０と、傾斜面部４ａに沿って鉛直下方に向けて移動する内容物１０とが存在することになる。したがって、振出し口６に向かう内容物１０の移動が、鉛直下方に向かって移動する内容物１０によって阻止される。このことによって、一度の振出し動作で適量の内容物１０が内部空間２ａから外部に振り出される。【００１５】  一方、図４に示すように鍋２０で調理中のスープの例えば塩加減を行う際、ユーザーがキャップ３を取り外した容器２の長手方向軸を鉛直軸に対して傾けた状態にする。このとき、ユーザーによって、振出し口６が設けられている傾斜面部４ａを水平面に対して上方を向いた状態、言い換えれば、ユーザーの目視によって傾斜面部４ａを確認できる状態にする。このことによって、傾斜面部４ａに対して鍋２０から立ちのぼる湯気が直接的に触れることが防止される。【００１６】  この状態において、ユーザーは矢印に示すように容器２を左右方向に繰り返し振って塩の振出しを行う。このとき、複数の小孔６ａが設けられている傾斜面部４ａが水平面に対して上方を向いた状態である。このため、内容物１０の振出しを行ったとき、内容物１０の一部が複数の小孔６ａから外部に振り出される一方、残りの内容物１０の一部は内部空間２ａ側の傾斜面部４ａに衝突し、その後、分力によって鉛直下方に向けて移動される。つまり、ユーザーが容器２を矢印に示すように左右方向に対して振出し動作を行ったとき、内部空間２ａ内においては、小孔６ａから外部に振り出されるように移動する内容物１０と、傾斜面部４ａに衝突後、鉛直下方に向かって移動する内容物１０とが存在する状態になる。このことによって、一度の振出し動作で塩が僅かずつ振出口６から外部に振り出される。【００１７】  一方、容器２を例えば親指と中指とで保持し、その手指以外である例えば二点鎖線に示す人差し指２１の指先で容器本体４の外表面を規則的に繰り返し、或いは断続的に叩く。すると、内部空間２ａの塩が傾斜面部４ａ側に移動されていること、及び指先によって叩かれたことによって振動が発生することによって、塩が複数の小孔６ａから極僅かずつ、外部に振り出されていく。【００１８】  このように、容器本体の傾斜面部に振出し口を設けている。そして、容器の長手方向軸を鉛直軸に対して略平行にして、容器を鉛直方向に繰り返し移動させて振出しを行う。このとき、内部空間内に収容されている内容物は、振出し口に向かって鉛直方向に移動されるものと、傾斜面部に衝突した後に鉛直下方に沿っ���移動するものとに分かれる。このため、振出し口６に向かうように移動する内容物のうち一部は、傾斜面部に沿って鉛直下方に向かって移動する内容部によってその移動が阻止される。したがって、一度に過剰の内容物が内部空間から外部に振り出されることを防止することができる。【００１９】  また。容器の長手方向軸を鉛直軸に対して傾けた状態にするとともに、振出し口が設けられている傾斜面部を水平面に対して上方を向いた状態、つまり、ユーザーの目視によって傾斜面部の視認を行える状態にする。そして、左右方向に振る振出し動作、又は指先で容器本体の外表面を叩く振出し動作によって内容物の振出しを行う。このことによって、傾斜面部が鍋等から立ちのぼる湯気に直接的に晒されることを防止することができる。したがって、傾斜面部に設けられている振出し口近傍に水滴が付着することや、振出し口を介して内部空間に湿気が侵入することが防止される。加えて、ユーザーは、左右方向への振出し動作、或いは人差し指で容器本体の外表面を叩く動作に応じて振出し口から振り出されていく内容物を目視にて確認することができる。このことによって、微妙な味加減等、内容物の振出しの微妙な調整を行える。【００２０】  なお、図５、及び図６に示すように容器２を構成する容器本体４の傾斜面部４ａに対応する外周面の両側部４ｄに、例えば左右対称な指当て部４ｅを設けるようにしてもよい。図５は指当て部を有する容器を示す側面図、図６は指当て部を有する容器を示す上面図である。【００２１】  図に示すように指当て部４ｅは、傾斜面部４ａを上方向に向けた状態において、その左右の側部４ｄに、該傾斜面部４ａの傾斜角度を考慮して、長手方向軸に対して所定の角度傾いた例えば溝状の凹部で形成されている。この指当て部４ｅには例えば親指と中指（或いは人差し指）とが配設されるように構成されおり、指当て部４ｅの一方に例えば親指を配置し、他方に中指を配置することによって、容器２は前記図４に示すように鉛直軸に対して該容器２の長手方向軸が傾いた状態に保持される。なお、本実施形態において前述した実施形態と同様の構成の部材については同符号を付して説明を省略している。【００２２】  このように、容器の所定の部位に所定の傾きの指当て部を設けている。このことにより、ユーザーが指当て部に指を配置して容器を保持することにより、容器の長手方向軸を容易に鉛直軸に対して傾けた状態にすることができる。したがって、内容物の振出しを行うとき、振出し口の設けられている傾斜面部が水平面より上方を向く。なお、指当て部４ｅは凹部に限定されるものではなく、凸部で構成するようにしてもよい。【００２３】  また、上述した実施形態においては傾斜面部４ａの略全面に複数の小孔６ａを穿設して振出し口６を構成しているが、図７、及び図８に示すように傾斜面部４ａの一部である例えば先端側に振出し口６Ａを設けるようにしてもよい。なお、本図において小孔６ｂの径寸法は小孔６ａの径寸法より大径に設定している。図７は傾斜面部の先端側に振出し口を設けた容器の長手方向軸を鉛直軸に対して略平行に配置したときの作用を説明する図、図８は傾斜面部の先端側に振出し口を設けた容器の長手方向軸を鉛直軸に対して傾け、かつ傾斜面部を水平面に対して上方に向けたときの作用を説明する図である。【００２４】  図７に示すように容器２Ａにおいては、振出し口６Ａを構成する小孔６ｂが先端側にだけ設けられている。したがって、容器２Ａの長手方向軸を鉛直軸に対して略平行にして、容器２Ａを矢印に示すように上下に繰り返し振って振出しを行ったとき、図３に示した容器２に比べて多くの内容物１０が内部空間２ａ側の傾斜面部４ａに衝突する。そして、傾斜面部４ａに衝突した内容物１０は、分力によって傾斜面部４ａに沿って鉛直下方に向けて移動される。したがって、傾斜面部４ａに沿って鉛直下方に移動される内容物１０によって、振出し口６Ａに向かう内容物１０の移動が阻止される。このことによって、一度に過剰の内容物１０が内部空間から外部に振り出されることをより確実に防止することができる。【００２５】  一方、図８に示すように容器２Ａの長手方向軸を鉛直軸に対して傾けた状態にした後、容器２Ａを左右方向に振ったり、又は指先で容器本体４の外表面を叩くことによって、先端側に設けられている振出し口６Ａを構成する小孔６ｂから外部に内容物１０が適宜、振り出される。なお、本実施形態において上述した実施形態と同様の構成の部材については同符号を付して説明を省略している。【００２６】  このように、傾斜面部に設ける振出し口を先端部側に設けることによって、振出し動作を行ったときの振出量を調節することができる。つまり、小孔の数は複数に限定されるものではなく１つであってもよい。そして、孔の形状や大きさは、孔の数、孔を形成する位置、内容物を考慮して適宜設定することによって、内部空間から外部に振り出される内容物の振出量の調整を容易に行える。したがって、内部空間内に収容される内容物の種類に対応した振出し口を適宜構成することによって、内容物に好適な容器の提供を行える。【００２７】  さらに、上述した実施形態においては容器２、２Ａを容器本体４と蓋体５とで構成しているが、図９に示すように容器２Ｂを容器本体４Ｂと振出し口付蓋体５Ｂとで構成するようにしたり、図１０に示すように容器２Ｃを容器本体４Ｃと振出し口付蓋体５Ｃとで構成するようにしてもよい。図９は容器の他の構成例を説明する図、図１０は容器の別の構成例を説明する図である。【００２８】  図９に示す容器２Ｂは、筒状の容器本体４Ｂと、この容器本体４Ｂに取り付けられる振出し口付蓋体５Ｂとで構成されている。容器本体４Ｂの先端側には容器開口部４１が設けられている。容器開口部４１を構成する外周側部には圧入固定用の突起部４２が設けられている。【００２９】  振出し口付蓋体５Ｂの先端側には傾斜面部５ｃが設けられている。傾斜面部５ｃは、容器２の長手方向軸に対して所定の角度で傾斜して構成されている。傾斜面部５ｃの例えば先端側には小孔６ａを穿設して構成された振出し口６Ｃが設けられている。振出し口付蓋体５Ｂの基端側には蓋体開口部５１が設けられている。蓋体開口部５１の内周面には圧入固定用の突起部４２に対して係入状態になる周状凹部５２が設けられている。【００３０】  したがって、振出し口付蓋体５Ｂの蓋体開口部５１に設けられている周状凹部５２を、容器本体４Ｂの容器開口部４１に設けられてい���突起部４２に係入配置させることによって容器２Ｂが構成される。この構成の容器２Ｂにおいては、振出し口６Ｃが設けられた傾斜面部５ｃが容器２Ｂの長手方向軸に対して所定の角度傾斜して構成される。このことによって、上述の実施形態の容器２Ａと同様の作用、及び効果を得ることができる。そして、傾斜面部５ｃの例えば略全面に複数の小孔６ａを穿設して振出し口６を構成することによって、上述の実施形態の容器２と同様の作用、及び効果を得ることができる。【００３１】  なお、振出し口付蓋体の容器本体への取り付けは圧入に限定されるものではなく、蓋体開口部５１の内周面に周状凹部５２を設ける代わりに雌ねじを設け、容器開口部４１の外周側部に突起部４２を設ける代わりに誰ねじを設ける。このことによって、振出し口付蓋体５Ｂと容器本体４Ｂとが螺合によって着脱自在な構成になる。【００３２】  図１０に示す容器２Ｃは、筒状の容器本体４Ｃと、この容器本体４Ｃに取り付けられる振出し口付蓋体５Ｃとで構成されている。容器本体４Ｃの先端側には容器開口部４３を備える傾斜部４ｆが設けられている。傾斜部４ｆは、容器２の長手方向軸に対して所定の角度で傾斜して構成されている。この傾斜部４ｆには圧入固定用の突起部４４が突出して設けられてい。この突起部４４は容器開口部４３を構成している。【００３３】  本実施形態の振出し口付蓋体５Ｃは略円筒状で、先端面５ｄの略全面に複数の小孔６ａを穿設して構成した振出し口６が設けられている。振出し口付蓋体５Ｃの蓋体開口部５３の内周面には圧入固定用の突起部４４に対して係入状態になる周状凹部５４が設けられている。【００３４】  したがって、振出し口付蓋体５Ｃの蓋体開口部５３に設けられている周状凹部５４を、容器本体４Ｃの容器開口部４３に設けられている突起部４４に係入配置させることによって容器２Ｃが構成される。この構成の容器２Ｃにおいては、振出し口６が設けられている振出し口付き蓋体５Ｃの先端面５ｄが、容器２Ｃの長手方向軸に対して所定の角度傾斜して構成される。このことによって、上述の実施形態の容器２と同様の作用、及び効果を得ることができる。そして、振出し口付き蓋体５Ｃの先端面の端部側に小孔６ａを穿設して振出し口６を構成することによって、上述の実施形態の容器２Ａ、２Ｂと同様の作用、及び効果を得ることができる。【００３５】  なお、本実施形態の容器２Ｃにおいては、円筒状の振出し口付蓋体５Ｃが傾斜部４ｆに配設されるので小孔６ａが容器２の長手方向軸に対して交差する位置関係になる。このため、容器２Ｃの長手方向軸を鉛直軸に対して略平行にして、該容器２Ｃを上下に繰り返し振って振出しを行ったとき、容器２Ｃの長手方向軸を鉛直軸に対して傾けた状態にして該容器２Ｃを左右方向に振って振出しを行ったとき、又は容器２Ｃの長手方向軸を鉛直軸に対して傾けた状態にして指先で容器本体４Ｃの外表面を叩いて振出しを行ったとき、内容物１０が小孔６ａの側周面に衝突して、内容物１０の一部が小孔６ａから外部に振り出される。【００３６】  つまり、本実施形態の容器２Ｃにおいては、上述した容器２、２Ａ、２Ｂに比べて、一度に過剰の内容物１０が容器２Ｃ内から外部に振り出されることがより防止される。【���０３７】  また、振出し口付蓋体５Ｃを容器本体４Ｃに係入配置させて容器２Ｃを構成したとき、振出し口付蓋体５Ｃが容器本体４Ｃの先端部外周面延長線４ｇより外側に突出しないように突起部４４の形成位置、及び振出し口付蓋体５Ｃの厚みが考慮されている。このことによって、キャップ３の容器本体４Ｃの着脱が可能になっている。【００３８】  尚、本発明は、以上述べた実施形態のみに限定されるものではなく、発明の要旨を逸脱しない範囲で種々変形実施可能である。
【図面の簡単な説明】
【００３９】
【図１】図１乃至図４は本発明の一実施形態にかかり、図１は振出し容器を説明する断面図
【図２】振出し容器の構成例を説明する分解斜視図
【図３】振出し容器の長手方向軸を鉛直軸に対して略平行に配置したときの作用を説明する図
【図４】振出し容器の長手方向軸を鉛直軸に対して傾け、かつ傾斜面部を水平面に対して上方に向けたときの作用を説明する図
【図５】指当て部を有する容器を示す側面図
【図６】指当て部を有する容器を示す上面図
【図７】傾斜面部の先端側に振出し口を設けた容器の長手方向軸を鉛直軸に対して略平行に配置したときの作用を説明する図
【図８】傾斜面部の先端側に振出し口を設けた容器の長手方向軸を鉛直軸に対して傾け、かつ傾斜面部を水平面に対して上方に向けたときの作用を説明する図
【図９】容器の他の構成例を説明する図
【図１０】容器の別の構成例を説明する図
【図１１】従来の振出し容器の構成、及び作用を説明する図
【符号の説明】
【００４０】１…振出し容器    ２…容器    ２ａ…内部空間    ４…容器本体
４ａ…傾斜面部    ６…振出し口    ６ａ…小孔  １０…内容物
【図１】
2007022648.tif 000003
【図２】
2007022648.tif 000004
【図３】
2007022648.tif 000005
【図４】
2007022648.tif 000006
【図５】
2007022648.tif 000007
【図６】
2007022648.tif 000008
【図７】
2007022648.tif 000009
【図８】
2007022648.tif 000010
【図９】
2007022648.tif 000011
【図１０】
2007022648.tif 000012
【図１１】
2007022648.tif 000013